(57)【特許請求の範囲】
【請求項１】
カートリッジケースを構成する上、下のハーフの対向する内面の四隅部に第１〜第４の円弧状リブを形成し、これら第１〜第４の円弧状リブ及びこれら第１〜第４の円弧状リブの間に位置する上、下ハーフの第１〜第３の側壁の中央部で円形状のディスク収納部を構成し、該ディスク収納部にディスク状記録媒体を回転可能に収納したディスクカートリッジにおいて、
上記側壁中央部の両側部における、上記上ハーフの第１〜第４の円弧状リブの端部上面から突出された上ハーフ側の補強部と、
上記側壁中央部の両側部における、上記下ハーフの第１〜第４の円弧状リブの端部に形成された切欠部に設けられた下ハーフ側の補強部と、を備え、
上記第１〜第３の側壁中央部は、両側部に較べて薄肉に形成されていると共に、上記上、下ハーフを重ね合わせると、上記上ハーフ側の補強部と下ハーフ側の補強部は嵌合するディスクカートリッジ。
【請求項２】
請求項１において、
上記上ハーフ側の補強部と上記下ハーフ側の補強部は、上記第１〜第３の側壁中央部を中心にして対称位置に形成されているディスクカートリッジ。
【請求項３】
請求項１又２において、
上記上ハーフ側の補強部と下ハーフ側の補強部の少なくともいずれか一方の補強部の先端面には、溶着リブが一体に形成されているディスクカートリッジ。
【発明の詳細な説明】
【０００１】
【発明の属する技術分野】
本発明は、画像情報や音声情報等の各種の情報やデータの記録媒体としての磁気ディスク、光ディスク或いは光磁気ディスク等のディスク状記録媒体をカートリッジケース（以下、シェルと称する）内に回転可能に収納したディスクカートリッジに関するものである。
【０００２】
【従来の技術】
図２４〜図２６に示したように、ディスクカートリッジ１０１として、シェル１０２を構成する上、下ハーフ１０３，１０４の対向する内面の四隅部に第１〜第４の円弧状リブ１０５〜１０８を形成し、これら第１〜第４の円弧状リブ１０５〜１０８及びこれら第１〜第４の円弧状リブ１０５〜１０８の間に位置する第１〜第３の側壁１０９〜１１１の中央部１０９ａ〜１１１ａで円形状のディスク収納部１１２を構成し、該ディスク収納部１１２にディスク状記録媒体１１３を収納したものが知られている。なお、上記ディスク状記録媒体１１３の中央部には、センターハブ１１４が取り付けられていて、該センターハブ１１４は、下ハーフ１０４に設けた中央開口部１１５に挿入されている。
【０００３】
上記ディスク収納部１１２の内周部と上記ディスク状記録媒体１１３の外周部との間には、ディスク状記録媒体１１３の回転時に該ディスク状記録媒体１１３の外周部と上記ディスク収納部１１２の内周部との接触を回避するための隙間Ｇが設定されている。
【０００４】
【発明が解決しようとする課題】
ところで、上記ディスクカートリッジ１０１には、次に述べるような問題点があった。
【０００５】
（１）ディスクカートリッジ１０１を、ディスク記録及び／又は再生装置より挿脱する際や持ち運びする際などに誤ってディスクカートリッジ１０１を落としてしまいカートリッジ収納部１１２内でディスク状記録媒体１１３が激しく移動して、例えば図２４に示したように、ディスク状記録媒体１１３の外周部が第２、第３の円弧状リブ１０６，１０７や第２の側壁１１０の中央部１１０ａに激しく衝突した場合に、第２、第３の円弧状リブ１０６，１０７の部分においては、これら円弧状リブ１０６，１０７の内周部の全面で上記ディスク状記録媒体１１２の衝撃力を受けるが、上記第２の側壁１１０の中央部１１０ａにおいては、点接触或は線接触し、上記中央部１１０ａに集中して衝撃荷重が掛かるために、図２８、図２９に示したように、上、下ハーフ１０３，１０４の第２の側壁１１０の中央部１１０ａ間が押し広げられて、上記ディスク状記録媒体１１２の一部が、上、下ハーフ１０３，１０４の第２の側壁１１０の中央部１１０ａ間からシェル１０２外に突出してしまうことがある。
【０００６】
（２）上述のようなディスク状記録媒体１１２のシェル１０２からの飛び出しを防止するためには、図３０に示すように、上記中央部１０９ａ〜１１１ａを含む第１〜第３の側壁１０９〜１１１の肉厚Ｔ3をより厚くし、堅牢なものにして、落下時の衝撃等に耐えられるようにすることが考えられるが、シェル１０２の外形寸法を変えずに上記第１〜第３の側壁１０９〜１１１の肉厚Ｔ3を厚くすると、その分上記ディスク収納部１１２の内径が小さくなり、該ディスク収納部１１２に収納するディスク状記録媒体１１３も小さなものになり、記録容量の減少の原因になる。
【０００７】
本発明は、上記従来の問題点を解決し、ディスク収納部の内径の拡大を図ると共に、上記第１〜第３の側壁の中央部からのディスク状記録媒体の飛び出しを防止することのできるディスクカートリッジを提供することを目的としてなされたものである。
【０００８】
本発明は、カートリッジケースを構成する上、下ハーフの対向する内面の四隅部に第１〜第４の円弧状リブを形成し、これら第１〜第４の円弧状リブ及びこれら第１〜第４の円弧状リブの間に位置する上、下ハーフの第１〜第３の側壁の中央部で円形状のディスク収納部を構成し、該ディスク収納部にディスク状記録媒体を回転可能に収納したディスクカートリッジにおいて、上記側壁中央部の両側部における、上記上ハーフの第１〜第４の円弧状リブの端部上面から突出された円筒状の上ハーフ側の補強部と、上記側壁中央部の両側部における、上記下ハーフの第１〜第４の円弧状リブの端部上面から突出された下ハーフ側の補強部と、を備え、上記第１〜第３の側壁中央部は、両側部に較べて薄肉に形成されていると共に、上記上、下ハーフを重ね合わせると、上記上ハーフ側の補強部と下ハーフ側の補強部は、密着係合することにより、
上記ディスク収納部の内径の拡大を図り、より大径で、かつ記録容量の大きなディスク状記録媒体を収納可能にすると共に、上記側壁中央部からのディスク状記録媒体の飛び出しを防止した。
【０００９】
【発明の実施の形態】
図１は第１の実施の形態のディスクカートリッジ１の斜視図、図２はディスクカートリッジ１を裏面側から見た斜視図、図３は分解斜視図である。
【００１０】
上記ディスクカートリッジ１は、シェル２を構成する上、下ハーフ３，４の対向する内面の四隅部に第１〜第４の円弧状リブ５〜８を形成し、これら第１〜第４の円弧状リブ５〜８及びこれら第１〜第４の円弧状リブ５〜８の間に位置する第１〜第３の側壁９〜１１の中央部９ａ〜１１ａで円形状のディスク収納部１２を構成し、該ディスク収納部１２にディスク状記録媒体としての光ディスクや光磁気ディスク１３を回転可能に収納することにより構成されている。
【００１１】
上記第１〜第３の側壁９〜１１の中央部９ａ〜１１ａの肉厚Ｔ1は、両側部９ｂ〜１１ｂの肉厚Ｔ2よりも薄肉に形成されている。また、上、下ハーフ３，４には、上記第１〜第３の側壁９〜１１の中央部９ａ〜１１ａにおいて、上記上、下ハーフ３，４の機械的強度を補強する補強部１４が設けられている。
【００１２】
上記上、下ハーフ３，４は、ポリカーボネート樹脂、ＡＢＳ樹脂、ポリスチレン樹脂等の熱可塑性合成樹脂を射出成形することにより形成されている。
【００１３】
上記光磁気ディスク１３は、光透過性を有するガラスやポリカーボネート樹脂等の合成樹脂材料からなるディスク基板に磁性層等からなる記録層を形成して構成されている。上記光磁気ディスク１３は、初期のものに較べて大きな記録容量を有するように構成されている。即ち、初期の光磁気ディスク１３が１２８ＭＢ（メガバイト）或いは２３０ＭＢの記録容量を有するのに対し、本発明のディスクカートリッジの光磁気ディスク１３は、６４０ＭＢ、１．３ＧＢ（ギガバイト）或いはそれ以上の記録容量を有している。
【００１４】
図３に示すように、光磁気ディスク１３は、中心部にセンター孔１３ａを有していて、該センター孔１３ａに金属板等の磁性材料で作られたセンターハブ２１が取り付けられる。なお、図３は、ディスクカートリッジを裏返して分解した状態を示しているので、上ハーフ３は、光磁気ディスク１３の下方に位置し、下ハーフ４は、光磁気ディスク１３の上方に位置した状態で表示されている。
【００１５】
上記上ハーフ３は、内面（図３の上面）の中央部に環状のリブ（凸部）２２を有し、該環状のリブ２２に並べた状態で記録再生用の開口部２３を有していて、該記録再生用の開口部２３に上記光磁気ディスク１３の記録領域が臨むようになっている。
【００１６】
上記上ハーフ３は、内面の四隅部に第１〜第４の円弧状リブ５〜８を有している。上記第１〜第４の円弧状リブ５〜８は、上記環状のリブ２２と同心円上に配置されていて、上記上ハーフ３の内面の周縁部に立設された第１〜第３の側壁９〜１１と略同じ高さに形成されている。
【００１７】
図４〜図５に示すように、上記第１の円弧状リブ５の一端部は、上記第１の側壁９に接続される。上記第２の円弧状リブ６の一端部は、上記第１の側壁９に接続され、他端部は、上記第２の側壁１０に接続されている。上記第３の円弧状リブ７の一端部は、上記第２の側壁１０に接続され、他端部は第３の側壁１１に接続されている。上記第４の円弧状リブ８は、一端部が上記第３の側壁１１に接続されている。
【００１８】
上記第１の円弧状リブ５と第２の円弧状リブ６の間に位置する第１の側壁９の中央部９ａの内面は、上記第１〜第２の円弧状リブ５，６の内面に連なる円弧面に形成されている。
【００１９】
上記第２の円弧状リブ６と第３の円弧状リブ７の間に位置する第２の側壁１０の中央部１０ａの内面は、上記第２、第３の円弧状リブ６，７の内面に連なる円弧面に形成されている。
【００２０】
上記第３の円弧状リブ７と第４の円弧状リブ８の間に位置する第３の側壁１１の中央部１１ａの内面は、上記第３、第４の円弧状リブ７，８の内面に連なる円弧面に形成されている。
【００２１】
そして、上記第１、第２、第３、第４の円弧状リブ５，６，７，８の上記第１、第２、第３の側壁９，１０，１１との接続部の近傍には、上記上、下ハーフ３，４の補強部１４を構成する上ハーフ側の補強部１５が設けられている。
【００２２】
図６、図７に示すように、上記上ハーフ側の補強部１５は、半円筒状に形成されていて、上端部１５ａが上記円弧状リブ５〜８の上面から突出するようになっている。
【００２３】
上記上ハーフ側の補強部１５の上端部１５ａの外周面は、上記円弧状リブ５〜８の内周面に内接する円弧面に形成されている。
【００２４】
図８は下ハーフ４を内面側から見た斜視図、図９は図８の要部の拡大斜視図である。上記下ハーフ４は、中央部に中央開口部３２を有し、該中央開口部３２に連続した状態で記録再生用の開口部３３を有していて、上記中央開口部３２内に上記センターハブ２１が臨み、上記記録再生用の開口部３３に上記光磁気ディスク１３の記録領域が臨むようになっている。
【００２５】
上記下ハーフ４は、上記上ハーフ３と同様に内面の四隅部に第１〜第４の円弧状リブ５〜８を有している。上記第１〜第４の円弧状リブ５〜８は、上記中央開口部３２と同心円上に配置されていて、上記下ハーフ４の内面の周縁部に立設された第１〜第３の側壁９〜１１と略同じ高さに形成されている。
【００２６】
上記上ハーフ３の場合と同様に、上記第１の円弧状リブ５の一端部は、上記第１の側壁９に接続される。上記第２の円弧状リブ６の一端部は、上記第１の側壁９に接続され、他端部は、上記第２の側壁１０に接続されている。上記第３の円弧状リブ７の一端部は、上記第２の側壁１０に接続され、他端部は、第３の側壁１１に接続されている。上記第４の円弧状リブ８は、一端部が上記第３の側壁１１に接続されている。
【００２７】
上記第１の円弧状リブ５と第２の円弧状リブ６の間に位置する第１の側壁９の中央部９ａの内面は、上記第１、第２の円弧状リブ５，６の内面に連なる円弧面に形成されている。
【００２８】
上記第２の円弧状リブ６と第３の円弧状リブ７の間に位置する第２の側壁１０の中央部１０ａの内面は、上記第２、第３の円弧状リブ６，７の内面に連なる円弧面に形成されている。
【００２９】
上記第３の円弧状リブ７と第４の円弧状リブ８の間に位置する第３の側壁１１の中央部１１ａの内面は、上記第３、第４の円弧状リブ７，８の内面に連なる円弧面に形成されている。
【００３０】
そして、上記第１、第２、第３、第４の円弧状リブ５，６，７，８の上記第１、第２、第３の側壁９，１０，１１との接続部の近傍には、上記上ハーフ側の補強部１５と共に、上記補強部１４を構成する下ハーフ側の補強部１６が設けられている。
【００３１】
図９に示すように、上記下ハーフ側の補強部１６は、半円形状の台座部１６ａと、該台座部１６ａ上に立設された半円筒状の軸部１６ｂとからなっている。
【００３２】
上記台座部１６ａの外径は、上記上ハーフ側の補強部１５の上端部１５ａの外径と略同径に形成されていて、上記円弧状リブ５，６，７，８の端部に形成した切欠部１７に臨んでいる。
【００３３】
上記台座部１６ａの外周面は、上記円弧状リブ５〜８の内周面に内接する円弧面に形成されている。
【００３４】
上記軸部１６ｂの外径は、上記上ハーフ側の補強部１５の内径と略同径に形成されている。
【００３５】
そして、上記上ハーフ３と下ハーフ４の側壁及び円弧状リブの位置を合わせた状態で下ハーフ３上に上ハーフ４を重ね合わせると図１０に示したように、上記上ハーフ３側の半円筒状の補強部１５の上端部１５ａの先端面が上記下ハーフ４側の台座部１６ａ上に重なり合った状態になると共に、上記下ハーフ４側の軸部１６ｂが上記上ハーフ３側の半円筒状の補強部１５の内周部に嵌合して、上、下ハーフ３，４は一体的に結合された状態になる。
【００３６】
図１、図２に示すように、上、下ハーフ３，４からなるシェル２にはシャッタ４１がスライド可能に取り付けられている。
【００３７】
上記シャッタ４１は、図３に示すように、上記上ハーフ３の記録再生用の開口部２３を開閉する第１のシャッタ板部４２と、上記下ハーフ４の中央開口部３２及び記録再生用の開口部３３を開閉する第２のシャッタ板部４３と、これら第１、第２のシャッタ板部４２，４３の基部を連結する連結板部４４とを備えている。
【００３８】
上記シャッタ４２は、薄い金属板を所定の形状に打ち抜いたのち略コ字状に折り曲げることにより形成されている。
【００３９】
上記上、下シェル３，４の前面壁３ａ，４ａ間には、これら前面壁３ａ，４ａに沿って移動可能にスライド部材４５が組み付けられる。
【００４０】
上記スライドガイド部材４５は、ネジ４６によって上記シャッタ４１の連結板部４４の内面に取り付けられる。
【００４１】
上記シャッタ４１は、第１、第２のシャッタ板部４２，４３で上、下ハーフ３，４を挟むようにしてシェル２に組み付けられている。上記第１、第２のシャッタ板部４２，４３は、シェル２の上、下面、即ち上、下ハーフ３，４の外側面に設けたシャッタ取付用の凹部（シャッタスライドエリア）４７，４８内に位置し、連結板部４４は、シェル２の前面壁に設けたシャッタ取付用の凹部（シャッタスライドエリア）４９内に位置している。
【００４２】
上記シャッタ４１は、捩りコイルばね５１で付勢されて、上記シャッタ取付用の凹部４７，４８の一側部４７ａ，４８ａに押し当てられて上記上ハーフ３の記録再生用の開口部２３及び下ハーフ４の中央開口部３２と記録再生用の開口部３３を閉塞し、上記捩りコイルばね５１の付勢力に抗してスライドさせて上記シャッタ取付用の凹部４７，４８の他端部４７ｂ，４８ｂ側に移動させることによって、上記上ハーフ３の記録再生用の開口部２３及び下ハーフ４の中央開口部３３と記録再生用の開口部３３を開放するようになっている。
【００４３】
上記第２のスライド板部４３の先端は、スライドガイド板５２によって上面を覆われて捲り上がりを防止されている。上ハーフ３に設けた誤消去防止部材装着穴５３に誤消去防止部材５４がスライド可能に組み付けられる。
【００４４】
図１１に示すように、上記下ハーフ側の補強部１６の軸部１６ｂは、半円筒形でなく、半円柱状に形成してもよい。また、図１２に示すように、上記上ハーフ側の補強部１５の先端面に溶着リブ（エネルギーダイレクター）５５を設けてもよい。上記溶着リブ５５は、図１３に示すように、断面三角形状に形成されている。上記断面三角形状の溶着リブ５５の底辺幅Ｗ１は、上記半円筒形の上ハーフ側の補強部１５の幅（肉厚）Ｗ２の略１／２となるように形成され、上記溶着リブ５５の高さＷ３は、上記補強部１５の肉厚Ｗ３の略１／４となるように形成されている。
上記溶着リブ５５は、上、下ハーフ３，４を重ね合わせたときに、上記下ハーフ側の補強部１６の台座部１６ａの上面に当接する。上記溶着リブ５４は、超音波を加えることにより溶融、固化されて、上記上ハーフ側の補強部１５を下ハーフ側の補強部１６に一体的に結合する。
【００４５】
第１の実施の形態のディスクカートリッジ１は上述のような構成であって、第１〜第４の円弧状リブ５〜８の間に位置する第１〜第３の側壁９〜１１の中央部９ａ〜１１ａの肉厚Ｔ1を両側部９ｂ〜１１ｂの肉厚Ｔ2よりも薄くしたので、その分ディスク収納部１２の内径を拡大し、より大きな光磁気ディスク１３を収納することを可能にし、これにより記録容量の増大を図ることができる。
【００４６】
また、上、下ハーフ３，４を重ね合わせてシェル２を形成する際に、上ハーフ３側の補強部１５に下ハーフ４側の補強部１６が嵌合し、上、下ハーフ３，４の位置合わせが自動的に行われ、上、下ハーフ３，４の第１〜第４の円弧状リブ５〜８及び第１〜第３の側壁９〜１１が相互が精度よく突き合わされた状態になる。
【００４７】
また、上記第１〜第３の側壁９〜１１の中央部９ａ〜１１ａの両側に円柱状の補強部１４が配置されているので、ディスクカートリッジを誤って落とし、光磁気ディスク１３が円弧状リブ６，７側に移動してきたような場合でも、図１４に示すように光磁気ディスク１３は、補強部１４に当接して更なる移動を阻止されるのである。
【００４８】
また、上記補強部１４は、上、下ハーフ３，４間に跨がる固定支持梁（支柱）として作用し、外部からの曲げ力に対してシェル２の変形を防止する。
【００４９】
図１５〜図２３は、第２の実施の形態を示す。この実施の形態において、上記補強部１４の上ハーフ側の補強部１５は、上記第１の実施の形態の円筒状の突部に代えて上記上ハーフ３の第１〜第４の円弧状リブ５〜８の端部の上面に、図１７に示すように、高さＨ1の舌片状の凸部を設けることにより形成されている。
【００５０】
また、下ハーフ側の補強部１６は、図１８に示すように、上記舌片状の凸部が係合する凹部１６ａと、該凹部１６ａの下部に高さＨ2の台座部１６ｂを設けることにより形成されている。
【００５１】
上記下ハーフ側の補強部１６の凹部１６ａは、上記下ハーフ４の第１〜第４の円弧状リブ５〜８の端部の上記上ハーフ側の補強部１５に対応する位置を外周側（下ハーフ４の側壁９〜１１側）に変形させて、舌片嵌合用の凹部を設けることにより構成されている。
【００５２】
そして、上記上ハーフ３と下ハーフ４を重ね合わせると、図１９に示すように、上ハーフ側の補強部１５が下ハーフ側の補強部１６に嵌合するようになっている。
【００５３】
上記下ハーフ側の舌片状の補強部１５が上記下ハーフ側の補強部１６に嵌合した状態において、図２０に示すように、上記上ハーフ側の補強部１５と下ハーフ側の補強部１６の凹部１６ａの側壁との間には隙間Ｇ２が設定されている。
【００５４】
上記隙間Ｇ２は、ディスクカートリッジの落下時等において光磁気ディスク１３が上記上ハーフ側の補強部１５に衝突した場合に、該補強部１５を撓み変形可能な状態にして、上記衝突時の衝撃を吸収し、更に強い衝撃が加わったときには、上記上ハーフ側の補強部１５を下ハーフ側の補強部１６の背面に当接させて、上記上ハーフ側の補強部１５が折れたりしないように保護する構成になっている。
【００５５】
図２１に示すように、上記第１の実施の形態と同様に、上ハーフ側の補強部１５の先端面に、第１の実施の形態の場合と同様に、溶着リブ５４を設け、該溶着リブ５４により、上ハーフ側の補強部１５の先端を下ハーフ側に溶着する構成としてもよい。なお、上記第１，第２の実施の形態では、上、下ハーフ３，４の第１〜第３の側壁９〜１１の中央部９ａ〜１１ａの内面を円弧面に形成した場合を示したが、図２２，図２３に示すように、第１〜第３の側壁９〜１１の中央部９ａ〜１１ａの内面は、ストレート面であってもよい。上記他の構成は第１の実施の形態の場合と同じとあるので、同一構成部分には同一符号を付して重複する説明を省略する。
【００５６】
【発明の効果】
本発明のディスクカートリッジには次に述べるような効果がある。
【００５７】
（１）請求項１のディスクカートリッジは、上、下ハーフの第１〜第４の側壁中央部の肉厚を薄くすることにより、ディスク収納部の内径を拡大したので、そのぶん大径のディスク状記録媒体を収納して記録容量の増大を図ることができる。また、上記側壁中央部の肉厚を薄くすることにより生じた上記側壁の機械的強度の低下を上記側壁中央部の両側に設けた補強部で補強して、上記側壁中央部の薄肉部からのディスク状記録媒体の飛び出しを防止することができる。
【００５８】
（２）請求項２のディスクカートリッジは、上記側壁中央部の薄肉部を中心にして左右対称位置に補強部を形成したので上記側壁中央部をバランスよく補強することができる。
【００５９】
（３）請求項３のディスクカートリッジは、上、下ハーフを重ね合わせると、筒状の上ハーフ側の補強部に下ハーフ側の補強部が隙間なく嵌合して、上記上、下ハーフの位置決めが自動的に行われる。そして、上記互いに嵌合した上ハーフ側の補強部と下ハーフ側の補強部とは、上記第１〜第３の円弧状リブを外周部側から支持する固定支持梁（柱）として、例えばディスクカートリッジを誤って落下させてしまったことにより収納されているディスク状記録媒体が強く上記第１〜第４の円弧状リブに当接したような場合でも、上記第１〜第４の円弧状リブが変形して、ディスク状記録媒体が外部に飛び出してしまうのを確実に防止することができる。
【００６０】
（４）請求項４のディスクカートリッジは上、下ハーフを重ね合わせたときに上ハーフ側の補強部と下ハーフ側の補強部との間に隙間が発生するようにしたので、上記ディスクカートリッジの落下時にディスク状記録媒体が上記第１〜第４の円弧状リブに強く衝突した場合に上記第１〜第４の円弧状リブは撓み変形しての衝突時の衝撃を吸収、緩和することができる。
【００６１】
（５）請求項５のディスクカートリッジは、溶着リブによって、上、下ハーフを溶着し、これら上、下ハーフの結合強度を強化することができる。
【図面の簡単な説明】
【図１】第１の実施の形態のディスクカートリッジの斜視図。
【図２】裏面側から見た斜視図。
【図３】分解斜視図。
【図４】上ハーフの平面図。
【図５】要部の拡大図。
【図６】上ハーフの斜視図。
【図７】要部の拡大図。
【図８】下ハーフの斜視図。
【図９】要部の拡大図。
【図１０】上、下ハーフの補強部を嵌合する前の状態の斜視図。
【図１１】下ハーフ側の補強部の変形例の斜視図。
【図１２】上ハーフ側の補強部の変形例の斜視図。
【図１３】溶着リブの断面図。
【図１４】光磁気ディスクが補強部に衝突した状態の平面図。
【図１５】第２の実施の形態の上ハーフの斜視図。
【図１６】第２の実施の形態の下ハーフの斜視図。
【図１７】上ハーフの要部の拡大図。
【図１８】下ハーフの要部の拡大図。
【図１９】上、下ハーフの補強部が係合した状態の平面図。
【図２０】図１９のＡ−Ａ断面図。
【図２１】上ハーフの変形例の斜視図。
【図２２】側壁中央部の変形例を示す平面図。
【図２３】要部の拡大図。
【図２４】従来のディスクカートリッジの斜視図。
【図２５】上ハーフの平面図。
【図２６】要部の拡大図。
【図２７】光磁気ディスクが側壁に衝突した状態の平面図。
【図２８】従来例の問題点を示す平面図。
【図２９】図２８のＡ−Ａ断面図。
【図３０】下ハーフの側壁の肉厚を厚くした状態の平面図。
【符号の説明】
１…ディスクカートリッジ、２…シェル、３，４…上、下ハーフ、５〜８…第１〜第４の円弧状リブ、９〜１１…第１〜第３の側壁、９ａ〜１１ａ…第１〜第３の側壁の中央部、１２…ディスク収納部、１３…光磁気ディスク、１４…補強部、１５…上ハーフ側の補強部、１６…下ハーフ側の補強部。
【図１】
0004686876.tif 000002
【図２】
0004686876.tif 000003
【図３】
0004686876.tif 000004
【図４】
0004686876.tif 000005
【図５】
0004686876.tif 000006
【図６】
0004686876.tif 000007
【図７】
0004686876.tif 000008
【図８】
0004686876.tif 000009
【図９】
0004686876.tif 000010
【図１０】
0004686876.tif 000011
【図１１】
0004686876.tif 000012
【図１２】
0004686876.tif 000013
【図１３】
0004686876.tif 000014
【図１４】
0004686876.tif 000015
【図１５】
0004686876.tif 000016
【図１６】
0004686876.tif 000017
【図１７】
0004686876.tif 000018
【図１８】
0004686876.tif 000019
【図１９】
0004686876.tif 000020
【図２０】
0004686876.tif 000021
【図２１】
0004686876.tif 000022
【図２２】
0004686876.tif 000023
【図２３】
0004686876.tif 000024
【図２４】
0004686876.tif 000025
【図２５】
0004686876.tif 000026
【図２６】
0004686876.tif 000027
【図２７】
0004686876.tif 000028
【図２８】
0004686876.tif 000029
【図２９】
0004686876.tif 000030
【図３０】
0004686876.tif 000031